(57)【要約】【課題】通信品質を高めることができる通信装置を得る。【解決手段】本発明の通信装置は、第１の信号を生成してその第１の信号を電話回線に供給する信号生成部と、電話回線から見た終端インピーダンスを変更可能に構成された終端部と、終端インピーダンスと電話回線の回線インピーダンスとのインピーダンス差を検出する検出部と、インピーダンス差が小さくなるように終端インピーダンスを決定する制御部とを備える。【選択図】図２
2017046128.tif 000002
【特許請求の範囲】
【請求項１】
第１の信号を生成してその第１の信号を電話回線に供給する信号生成部と、
前記電話回線から見た終端インピーダンスを変更可能に構成された終端部と、
前記終端インピーダンスと前記電話回線の回線インピーダンスとのインピーダンス差を検出する検出部と、
前記インピーダンス差が小さくなるように前記終端インピーダンスを決定する制御部と
を備えた通信装置。
【請求項２】
前記検出部は、前記第１の信号に応じて前記電話回線に生じる第２の信号に基づいて、前記インピーダンス差を検出する
請求項１に記載の通信装置。
【請求項３】
前記第２の信号は、前記第１の信号が前記電話回線において反射されることにより生じたものである
請求項２に記載の通信装置。
【請求項４】
前記検出部は、前記第２の信号の振幅値が所定の振幅値よりも大きい場合に、前記インピーダンス差が大きいと判断する
請求項２または請求項３に記載の通信装置。
【請求項５】
前記制御部は、前記終端インピーダンスを第１の終端インピーダンスに設定するとともに、前記第１の信号の周波数を順次変化させ、
前記検出部は、前記第２の信号に基づいて、各周波数での前記インピーダンス差を検出する
請求項２から請求項４のいずれか一項に記載の通信装置。
【請求項６】
前記制御部は、前記インピーダンス差が大きい場合には、前記終端インピーダンスを第２の終端インピーダンスに設定するとともに、前記第１の信号の周波数を順次変化させ、
前記検出部は、前記第２の信号に基づいて、各周波数での前記インピーダンス差を検出する
請求項５に記載の通信装置。
【請求項７】
前記制御部は、どの周波数でも前記インピーダンス差が小さい場合には、前記第１の終端インピーダンスを前記終端インピーダンスとして決定する
請求項５に記載の通信装置。
【請求項８】
前記制御部は、第１の周波数範囲において、前記第１の信号の周波数を順次変化させる
請求項５から請求項７のいずれか一項に記載の通信装置。
【請求項９】
前記第１の信号は、トーン信号であり、
前記信号生成部は、さらに、ダイヤルパルス信号またはＤＴＭＦ信号を生成することにより、通信相手に対してダイヤルトーン信号の生成を停止させ、
前記制御部は、その後に、前記第１の信号の周波数を順次変化させる
請求項８に記載の通信装置。
【請求項１０】
前記制御部は、前記第１の周波数範囲のうちの第２の周波数範囲外の周波数範囲において、前記第１の信号の周波数を順次変化させる
請求項８に記載の通信装置。
【請求項１１】
前記第１の信号は、トーン信号であり、
前記第２の周波数範囲は、通信相手が生成するダイヤルトーン信号の周波数に対応するものである
請求項１０に記載の通信装置。
【請求項１２】
前記終端部は、互いに異なるインピーダンスを有する複数の終端回路を有し、
前記制御部は、前記複数の終端回路のうちのいずれか１つを選択することにより、前記終端インピーダンスを決定する
請求項１から請求項１１のいずれかに記載の通信装置。
【請求項１３】
前記終端部は、シリコンデータアクセスアレンジメント（シリコンＤＡＡ）により構成される
請求項１から請求項１２のいずれかに記載の通信装置。
【請求項１４】
前記終端部は、複数のトランスを含む
請求項１から請求項１２のいずれかに記載の通信装置。
【請求項１５】
前記通信装置は、ファクシミリ装置である
請求項１から請求項１４のいずれかに記載の通信装置。
【発明の詳細な説明】
【技術分野】
【０００１】
本発明は、電話回線を介して通信を行う通信装置に関する。
【背景技術】
【０００２】
電話やファクシミリ装置などの通信装置は、電話回線を介して通信相手との間で通信を行う。電話回線の規格は、世界に複数あり、そのうちのいくつかの規格では、電話回線の回線インピーダンスが異なる。電話回線からみた通信装置の終端インピーダンスは、しばしば、電話回線の回線インピーダンスに応じた値にあらかじめ設定される（例えば、特許文献１など）。
【先行技術文献】
【特許文献】
【０００３】
【特許文献１】特開２０１０−１７１６３６号公報
【発明の概要】
【発明が解決しようとする課題】
【０００４】
ところで、通信装置では、一般に通信品質が高いことが望まれており、さらなる通信品質の向上が期待されている。
【０００５】
本発明はかかる問題点に鑑みてなされたもので、その目的は、通信品質を高めることができる通信装置を提供することにある。
【課題を解決するための手段】
【０００６】
本発明の通信装置は、信号生成部と、終端部と、検出部と、制御部とを備えている。信号生成部は、第１の信号を生成してその第１の信号を電話回線に供給するものである。終端部は、電話回線から見た終端インピーダンスを変更可能に構成されたものである。検出部は、終端インピーダンスと電話回線の回線インピーダンスとのインピーダンス差を検出するものである。制御部は、インピーダンス差が小さくなるように終端インピーダンスを決定するものである。
【発明の効果】
【０００７】
本発明の通信装置によれば、インピーダンス差が小さくなるように前記終端インピーダンスを決定するようにしたので、通信品質を高めることができる。
【図面の簡単な説明】
【０００８】
【図１】本発明の一実施の形態に係る通信装置の一構成例を表すブロック図である。
【図２】図１に示した回線制御部の一構成例を表すブロック図である。
【図３】第１の実施の形態に係るマッチング制御部の一構成例を表すブロック図である。
【図４】図２に示したトーン検出部の一構成例を表すブロック図である。
【図５】図４に示したトーン検出部の一動作例を表す波形図である。
【図６】図２に示した終端部の一構成例を表す回路図である。
【図７】図６に示した終端部の一構成例を表す表である。
【図８】第１の実施の形態に係る通信装置の一動作例を表すフローチャートである。
【図９】第１の実施の形態に係る通信装置の一動作例を表すタイミング図である。
【図１０】第１の実施の形態に係る通信装置の他の動作例を表すタイミング図である。
【図１１】第１の実施の形態に係る通信装置の他の動作例を表すタイミング図である。
【図１２】第１の実施の形態に係る通信装置の他の動作例を表すタイミング図である。
【図１３】第２の実施の形態に係るマッチング制御部の一構成例を表すブロック図である。
【図１４】第２の実施の形態に係る通信装置の一動作例を表すフローチャートである。
【発明を実施するための形態】
【０００９】
以下、本発明の実施の形態について、図面を参照して詳細に説明する。なお、説明は以下の順序で行う。
１．第１の実施の形態
２．第２の実施の形態
【００１０】
＜１．第１の実施の形態＞
［構成例］
図１は、本発明の第１の実施の形態に係る通信装置（通信装置１）の一構成例を表すものである。この通信装置１は、コピー機、ファクシミリ、スキャナなどの機能を有する、いわゆる多機能周辺装置（Multi Function Peripheral）である。通信装置１は、スキャナ部１１と、印刷部１２と、回線制御部１０とを備えている。
【００１１】
スキャナ部１１は、例えば書類に印刷された文字や図形などを読み取ることにより画像データを生成するものである。また、スキャナ部１１は、通信装置１がコピー機として機能する場合には、読み取った画像データを印刷部１２に供給し、通信装置１がファクシミリとして機能する場合には、読み取った画像データを回線制御部１０に供給するようになっている。
【００１２】
印刷部１２は、スキャナ部１１や回線制御部１０から供給された画像データを、紙などの記録媒体に印刷するものである。
【００１３】
回線制御部１０は、電話回線を制御するものである。回線制御部１０のコネクタＴ１は電話回線７を介して交換機８に接続され、コネクタＴ２は電話機６に接続されている。回線制御部１０は、スキャナ部１１から供給された、画像データを含むデータ信号を、電話回線７および交換機８を介して電話回線網９に接続された通信相手に送信し、また、通信相手から交換機８および電話回線７を介して供給された、画像データを含むデータ信号を、印刷部１２に供給する。また、回線制御部１０は、電話機６と電話回線網９に接続された他の電話機との間での音声信号のやり取りを制御する機能をも有している。
【００１４】
図２は、回線制御部１０の一構成例を表すものである。回線制御部１０は、通信制御部２０と、モデム部４０と、回線インタフェース部５０とを有している。
【００１５】
通信制御部２０は、通信装置１における通信を制御するものである。通信制御部２０は、インタフェース（Ｉ／Ｆ）２１と、接続制御部２２と、マッチング制御部３０とを有している。
【００１６】
インタフェース２１は、スキャナ部１１および印刷部１２に対するインタフェースである。具体的には、インタフェース２１は、スキャナ部１１からデータ信号を受け取り、そのデータ信号をモデム部４０に供給するとともに、接続制御部２２に対して、データ信号を送信する旨を通知する。また、インタフェース２１は、モデム部４０からデータ信号を受け取り、そのデータ信号を印刷部１２に対して供給するようになっている。
【００１７】
接続制御部２２は、回線インタフェース部５０の直流信号保持部５３（後述）の動作を制御することにより、回線接続動作または回線切断動作を行うものである。具体的には、接続制御部２２は、インタフェース２１から、データ信号を送信する旨の通知を受け取った場合には、モデム部４０および回線インタフェース部５０のインタフェース５１（後述）を介して、直流信号保持部５３に対して制御信号を供給し、直流信号保持部５３の動作を開始させる。これにより、通信装置１は、電話回線７に電気的に接続される。また、接続制御部２２は、回線インタフェース部５０のリング検出部５５（後述）から、インタフェース５１およびモデム部４０を介して、リングを検出した旨の通知を受け取った場合には、モデム部４０およびインタフェース５１を介して、直流信号保持部５３に対して制御信号を供給し、直流信号保持部５３の動作を開始させる。これにより、通信装置１は、電話回線７に電気的に接続される。また、接続制御部２２は、通信装置１がデータ信号のやりとりを終了した場合には、モデム部４０およびインタフェース５１を介して、直流信号保持部５３に対して制御信号を供給し、直流信号保持部５３の動作を停止させる。これにより、通信装置１は、電話回線７から電気的に切断されるようになっている。
【００１８】
マッチング制御部３０は、通信装置１の終端インピーダンスと電話回線７の回線インピーダンスとのインピーダンス差が小さくなるように、終端インピーダンスを決定するものである。
【００１９】
図３は、マッチング制御部３０の一構成例を表すものである。マッチング制御部３０は、周波数設定部３１と、検出周波数設定部３２と、振幅レベル設定部３３と、しきい値設定部３４と、送信指示部３５と、マッチング判定部３６と、インピーダンス切替指示部３７と、インピーダンス決定部３８とを有している。
【００２０】
周波数設定部３１は、モデム部４０のトーン生成部４３（後述）が生成するトーン信号ＳＴ１の周波数を設定するものである。具体的には、周波数設定部３１は、送信指示部３５、およびモデム部４０のインタフェース４１（後述）を介して、トーン生成部４３に対して制御信号を供給することにより、トーン信号ＳＴ１の周波数を設定する。その際、周波数設定部３１は、マッチング判定部３６における判定結果に基づいて、トーン信号ＳＴ１の周波数を、最低周波数ｆmin（例えば３００［Ｈｚ］）から最高周波数ｆmax（例えば４０００［Ｈｚ］）の周波数範囲内で順次設定する。具体的には、周波数設定部３１は、後述するように、最低周波数ｆminから最高周波数ｆmaxまでの周波数範囲のうち、交換機８が送信するダイヤルトーン信号の周波数（例えば４００［Ｈｚ］）を含む所定の周波数範囲外の周波数範囲において、トーン信号ＳＴ１の周波数を順次設定するようになっている。また、周波数設定部３１は、設定した周波数を検出周波数設定部３２に通知する機能をも有している。
【００２１】
検出周波数設定部３２は、モデム部４０のトーン検出部４４（後述）における、検出対象となる周波数範囲を設定するものである。具体的には、検出周波数設定部３２は、モデム部４０のインタフェース４１（後述）を介して、トーン検出部４４に対して制御信号を供給することにより、検出対象となる周波数範囲を設定する。その際、検出周波数設定部３２は、周波数設定部３１が設定したトーン信号ＳＴ１の周波数に基づいて、検出対象となる周波数範囲を設定するようになっている。
【００２２】
振幅レベル設定部３３は、モデム部４０のトーン生成部４３（後述）が生成するトーン信号ＳＴ１の振幅レベルを設定するものである。具体的には、振幅レベル設定部３３は、送信指示部３５、およびモデム部４０のインタフェース４１（後述）を介して、トーン生成部４３に対して制御信号を供給することにより、トーン信号ＳＴ１の振幅レベルを設定するようになっている。また、振幅レベル設定部３３は、設定したトーン信号ＳＴ１の振幅レベルをしきい値設定部３４に通知する機能をも有している。
【００２３】
しきい値設定部３４は、モデム部４０のしきい値生成部４５（後述）が生成するしきい値レベルＬｔｈを設定するものである。具体的には、しきい値設定部３４は、モデム部４０のインタフェース４１（後述）を介して、しきい値生成部４５に対して制御信号を供給することにより、しきい値レベルＬｔｈを設定する。その際、しきい値設定部３４は、振幅レベル設定部３３が設定したトーン信号ＳＴ１の振幅レベルに基づいて、しきい値レベルＬｔｈを設定するようになっている。
【００２４】
送信指示部３５は、周波数設定部３１および振幅レベル設定部３３からの指示に基づいて、モデム部４０のトーン生成部４３（後述）に対して、トーン信号ＳＴ１を生成し送信するように指示するものである。具体的には、送信指示部３５は、モデム部４０のインタフェース４１（後述）を介して、トーン生成部４３に対して制御信号を供給することにより、トーン信号ＳＴ１の生成および送信を指示するようになっている。
【００２５】
マッチング判定部３６は、モデム部４０のコンパレータ４６（後述）における比較結果に基づいて、インピーダンスが整合しているか否かを判定するものである。具体的には、マッチング判定部３６は、モデム部４０のインタフェース４１（後述）を介して供給されるコンパレータ４６での比較結果に基づいて、インピーダンスが整合しているか否かを判定する。そして、マッチング判定部３６は、その判定結果を、周波数設定部３１およびインピーダンス決定部３８に通知するようになっている。
【００２６】
インピーダンス切替指示部３７は、回線インタフェース部５０の終端部６０（後述）に対して、終端インピーダンスの切り替えを指示するものである。具体的には、インピーダンス切替指示部３７は、モデム部４０、絶縁部１９（後述）、および回線インタフェース部５０のインタフェース５１（後述）を介して、終端部６０に対して制御信号を供給することにより、終端インピーダンスを設定する。また、インピーダンス切替指示部３７は、終端部６０における終端インピーダンスの設定をインピーダンス決定部３８に通知する機能をも有している。さらに、インピーダンス切替指示部３７は、インピーダンス決定部３８における終端インピーダンスの決定結果を受け取り、その決定結果に基づいて、終端部６０における終端インピーダンスを設定する機能をも有している。
【００２７】
インピーダンス決定部３８は、マッチング判定部３６における判定結果、およびインピーダンス切替指示部３７から供給された終端インピーダンスの設定に基づいて、使用する終端インピーダンスを決定するものである。そして、インピーダンス決定部３８は、その決定結果をインピーダンス切替指示部３７に供給するようになっている。
【００２８】
モデム部４０（図２）は、インタフェース（Ｉ／Ｆ）４１，４２と、トーン生成部４３と、トーン検出部４４と、しきい値生成部４５と、コンパレータ４６とを有している。
【００２９】
インタフェース４１は、通信制御部２０に対するインタフェースとして機能するものである。インタフェース４２は、回線インタフェース部５０に対するインタフェースとして機能するものであり、絶縁部１９を介して回線インタフェース部５０に接続されている。
【００３０】
トーン生成部４３は、送信指示部３５からの指示に基づいて、トーン信号ＳＴ１を生成するものである。具体的には、トーン生成部４３は、通信制御部２０の送信指示部３５からインタフェース４１を介して供給された制御信号に基づいて、周波数設定部３１により指示された周波数を有するとともに、振幅レベル設定部３３により指示された振幅レベルを有するトーン信号ＳＴ１を生成するようになっている。
【００３１】
トーン検出部４４は、電話回線７におけるトーン信号ＳＴ２を検出するものである。特に、トーン検出部４４は、後述するように、トーン生成部４３がトーン信号ＳＴ１を送信した際に、反射して戻ってきたトーン信号ＳＴ２を検出するようになっている。そして、トーン検出部４４は、そのトーン信号ＳＴ２の振幅レベルに応じた信号Ｓig44を生成するようになっている。
【００３２】
図４は、トーン検出部４４の一構成例を表すものである。図５は、トーン検出部４４の一動作例を表すものである。トーン検出部４４は、フィルタ部４７と、絶対値算出部４８と、平均化部４９とを有している。
【００３３】
フィルタ部４７は、トーン信号ＳＴ２を所定のサンプリングレートでＡＤ（Analog to Digital）変換することによりデジタル信号を生成し、そのデジタル信号に対してフィルタリング処理を行うことにより、信号Ｓig47を生成するものである。このフィルタ部４７は、例えば、ＩＩＲ（Infinite Impulse Response）型のデジタルフィルタを用いて構成されるものである。フィルタ部４７のフィルタ係数は、通信制御部２０の検出周波数設定部３２からインタフェース４１を介して供給された制御信号に基づいて設定される。これにより、フィルタ部４７は、検出周波数設定部３２が設定した、検出対象となる周波数範囲の信号成分を通過させ、その周波数範囲外の信号成分を減衰させるようになっている。
【００３４】
絶対値算出部４８は、フィルタ部４７から供給された信号Ｓig47の絶対値を算出することにより、信号Ｓig48を生成するものである。平均化部４９は、絶対値算出部４８から出力された信号Ｓig48を平均化することにより、信号Ｓig44を生成するものである。
【００３５】
この構成により、トーン検出部４４は、図５に示したように、反射して戻ってきたトーン信号ＳＴ２の振幅レベルに応じた信号Ｓig44を生成するようになっている。
【００３６】
しきい値生成部４５（図２）は、通信制御部２０のしきい値設定部３４からインタフェース４１を介して供給された制御信号に基づいて、しきい値レベルＬｔｈを生成するものである。
【００３７】
コンパレータ４６は、しきい値レベルＬｔｈと、トーン検出部４４から出力された信号Ｓig44とを比較するものである。そして、コンパレータ４６は、信号Ｓig44がしきい値レベルＬｔｈよりも小さい場合には高レベル（Ｈ）を出力し、信号Ｓig44がしきい値レベルＬｔｈよりも大きい場合には低レベル（Ｌ）を出力する。そして、コンパレータ４６は、この比較結果を、インタフェース４１を介して、マッチング制御部３０のマッチング判定部３６に供給するようになっている。
【００３８】
絶縁部１９は、モデム部４０および回線インタフェース部５０を直流的に絶縁するとともに交流的に接続するものである。
【００３９】
回線インタフェース部５０は、インタフェース（Ｉ／Ｆ）５１と、終端部６０と、直流信号保持部５３と、ダイオードブリッジ５４と、リング検出部５５と、リレー部５６と、リレー制御部５７とを有している。
【００４０】
インタフェース５１は、モデム部４０に対するインタフェースとして機能するものであり、絶縁部１９を介してモデム部４０に接続されている。
【００４１】
終端部６０は、電話回線７を終端するものである。この終端部６０は、通信制御部２０のインピーダンス切替指示部３７からモデム部４０およびインタフェース５１を介して供給された制御信号に基づいて、電話回線７からみた終端インピーダンスを変更可能に構成されたものである。
【００４２】
図６は、終端部６０の一構成例を表すものである。この図６では、終端部６０に加え、インタフェース５１および直流信号保持部５３をも描いている。終端部６０は、スイッチ６９と、６つの終端回路６１〜６６とを有している。
【００４３】
スイッチ６９は、通信制御部２０のインピーダンス切替指示部３７からモデム部４０およびインタフェース５１を介して供給された制御信号に基づいて、インタフェース５１を、６つの終端回路６１〜６６のうちのいずれかの一端に接続するものである。
【００４４】
終端回路６１〜６６は、通信装置１における終端インピーダンスとして機能するものである。すなわち、終端回路６１〜６６は、互いに異なるインピーダンスを有しており、終端回路６１〜６６のうちのいずれか一つがスイッチ６９により選択されることにより、その選択された終端回路が終端インピーダンスとして機能するようになっている。
【００４５】
終端回路６１は、抵抗素子Ｒ１を有している。抵抗素子Ｒ１の一端はスイッチ６９の終端回路６１に対応する端子に接続され、他端は終端回路６２〜６６の他端および直流信号保持部５３の第１の端子に接続されている。
【００４６】
終端回路６２〜６６のそれぞれは、抵抗素子Ｒ２，Ｒ３と、容量素子Ｃ１とを有している。抵抗素子Ｒ２の一端はスイッチ６９の各終端回路に対応する端子に接続され、他端は抵抗素子Ｒ３の一端および容量素子Ｃ１の一端に接続されている。抵抗素子Ｒ３の一端は、抵抗素子Ｒ２の他端および容量素子Ｃ１の一端に接続され、他端は容量素子Ｃ１の他端に接続されるとともに、その終端回路以外の終端回路の他端および直流信号保持部５３の第１の端子に接続されている。容量素子Ｃ１の一端は、抵抗素子Ｒ２の他端および抵抗素子Ｒ３の一端に接続され、他端は抵抗素子Ｒ３の他端に接続されるとともに、その終端回路以外の終端回路の他端および直流信号保持部５３の第１の端子に接続されている。
【００４７】
図７は、終端回路６１〜６６における抵抗素子Ｒ１〜Ｒ３の抵抗値および容量素子Ｃ１の容量値の一例を表すものである。この例では、終端回路６１は、例えば日本やアメリカ合衆国の電話回線に接続する際に選択され、終端回路６２は、例えばヨーロッパ各国の電話回線に接続する際に選択され、終端回路６３，６４は、例えばオーストラリアの電話回線に接続する際に選択され、終端回路６５は、例えばニュージーランドの電話回線に接続する際に選択され、終端回路６６は、例えば南アフリカ共和国の電話回線に接続する際に選択される。
【００４８】
このような終端部６０およびインタフェース５１は、例えば、いわゆるシリコンＤＡＡ（Data Access Arrangement）により構成することができる。
【００４９】
直流信号保持部５３（図２）は、電話回線７からダイオードブリッジ５４を介して供給された信号に含まれる直流成分を保持するものである。直流信号保持部５３の第１の端子５３Ａは終端部６０に接続され、第２の端子５３Ｂはダイオードブリッジ５４のダイオード５４Ａ，５４Ｂのカソード（後述）に接続されている。この直流信号保持部５３は、通信装置１が、通信相手から電話回線７を介して供給されたデータ信号を受信する場合には、ダイオードブリッジ５４から供給される信号に含まれる直流成分を保持するとともに、交流成分を終端部６０などを介してモデム部４０に供給する。また、直流信号保持部５３は、通信装置１が、通信相手に対して電話回線７を介してデータ信号を送信する場合には、保持している直流成分に、モデム部４０から終端部６０などを介して供給された交流成分を重畳し、その重畳された信号をダイオードブリッジ５４に供給するようになっている。
【００５０】
また、直流信号保持部５３は、通信制御部２０の接続制御部２２からモデム部４０およびインタフェース５１を介して供給された制御信号に基づいて、直流成分の保持動作を開始または停止する機能をも有している。
【００５１】
ダイオードブリッジ５４は、４つのダイオード５４Ａ〜５４Ｄを有している。ダイオード５４Ａのアノードはダイオード５４Ｄのカソードに接続され、カソードはダイオード５４Ｂのカソードに接続されている。ダイオード５４Ｂのアノードはダイオード５４Ｃのカソードに接続され、カソードはダイオード５４Ａのカソードに接続されている。ダイオード５４Ｃのアノードはダイオード５４Ｄのアノードに接続され、カソードはダイオード５４Ｂのアノードに接続されている。ダイオード５４Ｄのアノードはダイオード５４Ｃのアノードに接続され、カソードはダイオード５４Ａのアノードに接続されている。ダイオード５４Ａのアノードおよびダイオード５４Ｄのカソードは、コネクタＴ１の第１の端子Ｔ１Ａに接続され、ダイオード５４Ｂのアノードおよびダイオード５４Ｃのカソードは、コネクタＴ１の第２の端子Ｔ１Ｂに接続されている。ダイオード５４Ａ，５４Ｂのカソードは直流信号保持部５３の第２の端子５３Ｂに接続され、ダイオード５４Ｃ，５４Ｄのアノードは接地されている。
【００５２】
この構成により、ダイオードブリッジ５４では、例えばコネクタＴ１の第１の端子Ｔ１Ａにおける電圧が第２の端子Ｔ１Ｂにおける電圧よりも高い場合には、ダイオード５４Ａ，５４Ｃがオン状態になるとともにダイオード５４Ｂ，５４Ｄがオフ状態になる。これにより、直流信号保持部５３の第２の端子５３Ｂに正の電圧が供給される。また、ダイオードブリッジ５４では、例えばコネクタＴ１の第２の端子Ｔ１Ｂにおける電圧が第１の端子Ｔ１Ａにおける電圧よりも高い場合には、ダイオード５４Ｂ，５４Ｄがオン状態になるとともにダイオード５４Ａ，５４Ｃがオフ状態になる。これにより、直流信号保持部５３の第２の端子５３Ｂに正の電圧が供給される。このように、いずれの場合でも、直流信号保持部５３の第２の端子５３Ｂには正の電圧が供給される。そして、直流信号保持部５３は、この電圧を保持するようになっている。
【００５３】
リング検出部５５は、電話回線７における信号に基づいてリングを検出するものである。そして、リング検出部５５は、インタフェース５１およびモデム部４０を介して、接続制御部２２に対して制御信号を供給することにより、リングを検出した旨の通知を行うようになっている。
【００５４】
リレー部５６は、リレー制御部５７からの指示に基づいて、電話機６の電話回線７への接続をオンオフするものである。リレー部５６は、２つのリレー５６Ａ，５６Ｂを有している。リレー５６Ａは、リレー制御部５７からの指示に基づいて、コネクタＴ１の第１の端子Ｔ１ＡとコネクタＴ２の第１の端子Ｔ２Ａとをオンオフするものであり、リレー５６Ｂは、リレー制御部５７からの指示に基づいて、コネクタＴ１の第２の端子Ｔ１ＢとコネクタＴ２の第２の端子Ｔ２Ｂとをオンオフするものである。
【００５５】
リレー制御部５７は、リレー部５６に対して、電話機６を電話回線７へ接続するか否かを指示するものである。
【００５６】
ここで、トーン生成部４３は、本発明における「信号生成部」の一具体例に対応する。トーン検出部４４、しきい値生成部４５、およびコンパレータ４６は、本発明における「検出部」の一具体例に対応する。マッチング制御部３０は、本発明における「制御部」の一具体例に対応する。トーン信号ＳＴ１は、本発明における「第１の信号」の一具体例に対応する。トーン信号ＳＴ２は、本発明における「第２の信号」の一具体例に対応する。
【００５７】
［動作および作用］
続いて、本実施の形態の通信装置１の動作および作用について説明する。
【００５８】
（全体動作概要）
まず、図２を参照して、通信装置１の全体動作概要を説明する。
【００５９】
通信装置１が、スキャナ部１１が読み取った画像データを、電話回線７を介して通信相手に送信する場合には、まず、インタフェース２１が、スキャナ部１１から供給されたデータ信号に基づいて、接続制御部２２に対してデータ信号を送信する旨を通知する。そして、接続制御部２２は、直流信号保持部５３の動作を開始させる。これにより、通信装置１は、電話回線７に電気的に接続される。そして、マッチング制御部３０は、通信装置１の終端インピーダンスと電話回線７の回線インピーダンスとのインピーダンス差が小さくなるように、終端インピーダンスを決定する。その後、インタフェース２１は、スキャナ部１１から受け取ったデータ信号をモデム部４０に供給する。そして、モデム部４０は、そのデータ信号を回線インタフェース部５０および電話回線７を介して通信相手に送信する。その後、接続制御部２２は、モデム部４０がデータ信号の送信を終了した場合には、直流信号保持部５３の動作を停止させる。これにより、通信装置１は、電話回線７から電気的に切断される。
【００６０】
通信装置１が、通信相手から電話回線７を介して供給された画像データを受信する場合には、まず、リング検出部５５が、電話回線７に現れる信号に基づいてリングを検出し、接続制御部２２に対してリングを検出した旨の通知を行う。そして、接続制御部２２は、モデム部４０およびインタフェース５１を介して、直流信号保持部５３に対して制御信号を供給し、直流信号保持部５３の動作を開始させる。これにより、通信装置１は、電話回線７に電気的に接続される。そして、マッチング制御部３０は、通信装置１の終端インピーダンスと電話回線７の回線インピーダンスとのインピーダンス差が小さくなるように、終端インピーダンスを決定する。そして、モデム部４０は、通信相手から電話回線７および回線インタフェース部５０を介して送信されたデータ信号を受信し、そのデータ信号をインタフェース２１に供給する。そして、インタフェース２１は、そのデータ信号を印刷部１２に対して供給する。その後、接続制御部２２は、モデム部４０がデータ信号の受信を終了した場合には、直流信号保持部５３の動作を停止させる。これにより、通信装置１は、電話回線７から電気的に切断される。
【００６１】
（マッチング制御部３０の詳細動作）
通信装置１が、電話回線７に電気的に接続されると、まず、交換機８からダイヤルトーン信号が送信される。そして、マッチング制御部３０は、通信装置１の終端インピーダンスと電話回線７の回線インピーダンスとのインピーダンス差が小さくなるように、終端インピーダンスを決定する。以下に、この動作について詳細に説明する。
【００６２】
図８は、通信装置１における終端インピーダンスの決定動作の一例を表すものである。この例では、まず、終端部６０が、終端インピーダンスを順次切り替え、トーン生成部４３が、トーン信号ＳＴ１の周波数を順次変化させつつトーン信号ＳＴ１を送信する。そして、トーン検出部４４が、戻ってきたトーン信号ＳＴ２を検出し、マッチング制御部３０が、そのトーン信号ＳＴ２の振幅レベルに基づいて、終端インピーダンスを決定する。以下に、この動作について詳細に説明する。
【００６３】
まず、マッチング制御部３０のインピーダンス切替指示部３７が、終端部６０に対して、終端回路６１を選択するように指示する（ステップＳ１）。
【００６４】
次に、周波数設定部３１が、トーン信号ＳＴ１の周波数を最低周波数ｆmin（例えば３００［Ｈｚ］）に設定する（ステップＳ２）。
【００６５】
次に、振幅レベル設定部３３が、トーン信号ＳＴ１の振幅レベルを設定する（ステップＳ３）。この例では、振幅レベル設定部３３は、トーン信号ＳＴ１の振幅レベルを、例えば−１０［ｄＢｍ］に設定する。
【００６６】
次に、検出周波数設定部３２が、検出対象となる周波数範囲を設定するとともに、しきい値設定部３４がしきい値レベルＬｔｈを設定する（ステップＳ４）。この例では、検出周波数設定部３２は、検出対象となる周波数範囲を、周波数設定部３１が設定したトーン信号ＳＴ１の周波数を基準として例えば±１０［Ｈｚ］の周波数範囲に設定する。また、しきい値設定部３４は、しきい値レベルＬｔｈを、振幅レベル設定部３３が設定した振幅レベルより例えば２０［ｄＢ］低い値（例えば−３０［ｄＢｍ］）に設定する。
【００６７】
次に、送信指示部３５が、トーン信号ＳＴ１の送信を指示する（ステップＳ５）。これにより、トーン生成部４３は、周波数設定部３１により指示された周波数を有するとともに、振幅レベル設定部３３により指示された振幅レベルを有するトーン信号ＳＴ１を生成し、このトーン信号ＳＴ１を送信する。
【００６８】
次に、トーン検出部４４が、反射して戻ってきたトーン信号ＳＴ２を検出する（ステップＳ６）。そして、トーン検出部４４は、そのトーン信号ＳＴ２の振幅レベルに応じた信号Ｓig44を生成する。コンパレータ４６は、しきい値レベルＬｔｈと、トーン検出部４４から出力された信号Ｓig44とを比較する。そして、コンパレータ４６は、信号Ｓig44がしきい値レベルＬｔｈよりも小さい場合には高レベル（Ｈ）を出力し、信号Ｓig44がしきい値レベルＬｔｈよりも大きい場合には低レベル（Ｌ）を出力する。
【００６９】
次に、マッチング判定部３６が、コンパレータ４６から供給された比較結果に基づいて、インピーダンスが整合しているか否かを判定する（ステップＳ７）。すなわち、マッチング判定部３６は、コンパレータ４６の出力信号が高レベルである場合には、反射して戻ってきたトーン信号ＳＴ２の振幅レベルが低いので、インピーダンスが整合していると判定する。また、マッチング判定部３６は、コンパレータ４６の出力信号が低レベルである場合には、反射して戻ってきたトーン信号ＳＴ２の振幅レベルが高いので、インピーダンスが整合していないと判定する。
【００７０】
ステップＳ７において、マッチング判定部３６が、インピーダンスが整合していると判定した場合（ステップＳ８において“Ｙ”）には、トーン信号ＳＴ１の周波数が最高周波数ｆmax（例えば４０００［Ｈｚ］）でないときは（ステップＳ９において“Ｎ”）、周波数設定部３１は、トーン信号ＳＴ１の周波数を、一段階高い周波数に設定する（ステップＳ１０）。その際、周波数設定部３１は、最低周波数ｆminから最高周波数ｆmaxまでの周波数範囲のうち、交換機８が送信するダイヤルトーン信号の周波数（例えば４００［Ｈｚ］）を含む所定の周波数範囲外の周波数範囲において、トーン信号ＳＴ１の周波数を設定する。そして、ステップＳ３に進む。
【００７１】
また、トーン信号ＳＴ１の周波数が最高周波数ｆmax（例えば４０００［Ｈｚ］）であるときは（ステップＳ９において“Ｙ”）、インピーダンス決定部３８が、終端回路６１〜６６のうちの現在選択している終端回路を、使用する終端回路として決定する（ステップＳ１１）。
【００７２】
ステップＳ７において、マッチング判定部３６が、インピーダンスが整合していないと判定した場合（ステップＳ８において“Ｎ”）には、終端回路６１〜６６の全てをまだ選択していないときは（ステップＳ１２において“Ｎ”）、インピーダンス切替指示部３７が、終端部６０に対して、終端回路６１〜６６のうちまだ選択していない終端回路を選択するように指示する（ステップＳ１３）。そして、ステップＳ２に進む。
【００７３】
また、終端回路６１〜６６の全てをすでに選択しているときは（ステップＳ１２において“Ｙ”）、インピーダンス決定部３８が、終端回路６１を、使用する終端回路として決定する（ステップＳ１４）。
【００７４】
以上で、このフローは終了する。
【００７５】
次に、いくつかの例を挙げて、通信装置１の動作をより具体的に説明する。
【００７６】
図９は、第１のケースにおける動作を表すものである。第１のケースは、終端回路６１を選択した場合に、インピーダンスが整合していると判定されるケースである。この図９において、（Ａ）はインピーダンス切替指示部３７の動作を示し、（Ｂ）は周波数設定部３１の動作を示し、（Ｃ）はトーン生成部４３の動作を示し、（Ｄ）はコンパレータ４６の動作を示し、（Ｅ）はインピーダンス決定部３８の動作を示す。この図９（Ａ）において、“６１”は、インピーダンス切替指示部３７が、終端部６０に対して、終端回路６１を選択するように指示していることを示す。また、図９（Ｃ）において、“ｆmin”は、トーン生成部４３が、周波数が最低周波数ｆminであるトーン信号ＳＴ１を生成していることを示し、“ｆmax”は、トーン生成部４３が、周波数が最高周波数ｆmaxであるトーン信号ＳＴ１を生成していることを示す。
【００７７】
この例では、タイミングｔ１１において、インピーダンス切替指示部３７が、終端部６０に対して、終端回路６１を選択するように指示し（図９（Ａ）、ステップＳ１）、周波数設定部３１が、タイミングｔ１１〜ｔ１２の期間において、トーン信号ＳＴ１の周波数を、最低周波数ｆminから最高周波数ｆmaxの周波数範囲において順次設定する（図９（Ｂ）、ステップＳ２，Ｓ１０）。そして、トーン生成部４３は、周波数設定部３１からの指示に基づいて、周波数を順次変化させながらトーン信号ＳＴ１を生成し送信する（図９（Ｃ）、ステップＳ５）。そして、コンパレータ４６は、反射して戻ってきたトーン信号ＳＴ２の振幅レベルとしきい値レベルＬｔｈとを比較し、その比較結果を出力し（図９（Ｄ）、ステップＳ６）、マッチング判定部３６は、この比較結果に基づいて、インピーダンスが整合しているか否かを判定する（ステップＳ７）。
【００７８】
その際、この例では、タイミングｔ１１〜ｔ１２の期間において、コンパレータ４６の出力信号は高レベル（Ｈ）のままである。すなわち、この例では、反射して戻ってきたトーン信号ＳＴ２の振幅レベルが低い。よって、マッチング判定部３６は、インピーダンスが整合していると判定する。
【００７９】
そして、インピーダンス決定部３８は、タイミングｔ１２において、現在選択している終端回路６１を、使用する終端回路として決定する（図９（Ｅ）、ステップＳ１１）。
【００８０】
図１０は、第２のケースにおける動作を表すものである。第２のケースは、終端回路６１を選択した場合には、インピーダンスが整合していないと判定され、終端回路６２を選択した場合に、インピーダンスが整合していると判定されるケースである。
【００８１】
この例では、まず、タイミングｔ２１において、インピーダンス切替指示部３７が、終端部６０に対して、終端回路６１を選択するように指示する（図１０（Ａ）、ステップＳ１）。そして、トーン生成部４３は、タイミングｔ２１〜ｔ２２の期間において、周波数設定部３１からの指示に基づいて、周波数を最低周波数ｆminから最高周波数ｆmaxへ順次変化させながらトーン信号ＳＴ１を生成する（図１０（Ｂ），（Ｃ）、ステップＳ５）。その際、この例では、トーン信号ＳＴ１の周波数が最高周波数ｆmaxであるときに、コンパレータ４６の出力信号が低レベルになる。すなわち、この例では、トーン信号ＳＴ１の周波数が最高周波数ｆmaxであるときに、反射が大きくなり、トーン信号ＳＴ２の振幅レベルが高くなる。これにより、マッチング判定部３６は、インピーダンスが整合していないと判定する（ステップＳ８において“Ｎ”）。
【００８２】
次に、インピーダンス切替指示部３７は、タイミングｔ２２において、終端部６０に対して、終端回路６２を選択するように指示する（図１０（Ａ）、ステップＳ１３）。そして、トーン生成部４３は、タイミングｔ２２〜ｔ２３の期間において、周波数設定部３１からの指示に基づいて、周波数を最低周波数ｆminから最高周波数ｆmaxへ順次変化させながらトーン信号ＳＴ１を生成する（図１０（Ｂ），（Ｃ）、ステップＳ５）。その際、この例では、タイミングｔ２２〜ｔ２３の期間において、コンパレータ４６の出力信号は高レベル（Ｈ）のままである。よって、マッチング判定部３６は、インピーダンスが整合していると判定する。
【００８３】
そして、インピーダンス決定部３８は、タイミングｔ２３において、現在選択している終端回路６２を、使用する終端回路として決定する（図１０（Ｅ）、ステップＳ１１）。
【００８４】
図１１は、第３のケースにおける動作を表すものである。第３のケースは、第２のケースと同様に、終端回路６１を選択した場合には、インピーダンスが整合していないと判定され、終端回路６２を選択した場合に、インピーダンスが整合していると判定されるケースである。
【００８５】
この例では、まず、タイミングｔ３１において、インピーダンス切替指示部３７が、終端部６０に対して、終端回路６１を選択するように指示する（図１１（Ａ）、ステップＳ１）。そして、トーン生成部４３は、タイミングｔ３１において、周波数設定部３１からの指示に基づいて、周波数が最低周波数ｆminであるトーン信号ＳＴ１を生成する（図１１（Ｂ），（Ｃ）、ステップＳ２，Ｓ５）。このとき、コンパレータ４６の出力信号が低レベルになる。すなわち、この例では、トーン信号ＳＴ１の周波数が最低周波数ｆminであるときに、反射が大きくなり、トーン信号ＳＴ２の振幅レベルが高くなる。これにより、マッチング判定部３６は、インピーダンスが整合していないと判定する（ステップＳ８において“Ｎ”）。
【００８６】
次に、インピーダンス切替指示部３７は、タイミングｔ３２において、終端部６０に対して、終端回路６２を選択するように指示する（図１１（Ａ）、ステップＳ１３）。そして、トーン生成部４３は、タイミングｔ３２〜ｔ３３の期間において、周波数設定部３１からの指示に基づいて、周波数を最低周波数ｆminから最高周波数ｆmaxへ順次変化させながらトーン信号ＳＴ１を生成する（図１１（Ｂ），（Ｃ）、ステップＳ５）。その際、この例では、タイミングｔ３２〜ｔ３３の期間において、コンパレータ４６の出力信号は高レベル（Ｈ）のままである。よって、マッチング判定部３６は、インピーダンスが整合していると判定する。
【００８７】
そして、インピーダンス決定部３８は、タイミングｔ３３において、現在選択している終端回路６２を、使用する終端回路として決定する（図１１（Ｅ）、ステップＳ１１）。
【００８８】
図１２は、第４のケースにおける動作を表すものである。第４のケースは、終端回路６１〜６６のどの終端回路を選択した場合でも、インピーダンスが整合していないと判定されるケースである。
【００８９】
この例では、まず、タイミングｔ４１において、インピーダンス切替指示部３７が、終端部６０に対して、終端回路６１を選択するように指示する（図１２（Ａ）、ステップＳ１）。そして、トーン生成部４３が、タイミングｔ４１において、周波数設定部３１からの指示に基づいて、周波数が最低周波数ｆminであるトーン信号ＳＴ１を生成する（図１２（Ｂ），（Ｃ）、ステップＳ２，Ｓ５）。このとき、コンパレータ４６の出力信号が低レベルになる。すなわち、この例では、トーン信号ＳＴ１の周波数が最低周波数ｆminであるときに、反射が大きくなり、トーン信号ＳＴ２の振幅レベルが高くなる。これにより、マッチング判定部３６は、インピーダンスが整合していないと判定する（ステップＳ８において“Ｎ”）。
【００９０】
次に、タイミングｔ４２において、インピーダンス切替指示部３７が、終端部６０に対して、終端回路６２を選択するように指示し（図１２（Ａ）、ステップＳ１３）、トーン生成部４３が、周波数設定部３１からの指示に基づいて、周波数が最低周波数ｆminであるトーン信号ＳＴ１を生成する（図１２（Ｂ），（Ｃ）、ステップＳ２，Ｓ５）。このとき、コンパレータ４６の出力信号は低レベルになる。これにより、マッチング判定部３６は、インピーダンスが整合していないと判定する（ステップＳ８において“Ｎ”）。
【００９１】
タイミングｔ４３〜ｔ４６の期間についても同様である。
【００９２】
そして、タイミングｔ４６において、インピーダンス切替指示部３７が、終端部６０に対して、終端回路６６を選択するように指示し（図１２（Ａ）、ステップＳ１３）、トーン生成部４３が、周波数設定部３１からの指示に基づいて、周波数が最低周波数ｆminであるトーン信号ＳＴ１を生成する（図１２（Ｂ），（Ｃ）、ステップＳ２，Ｓ５）。このとき、コンパレータ４６の出力信号は低レベルになる。これにより、マッチング判定部３６は、インピーダンスが整合していないと判定する（ステップＳ８において“Ｎ”）。
【００９３】
そして、インピーダンス決定部３８は、タイミングｔ４７において、終端回路６１を、使用する終端回路として決定する（図１２（Ｅ）、ステップＳ１４）。すなわち、終端回路６１〜６６のうちのどの終端回路を選択した場合でもインピーダンスが整合していないので、インピーダンス決定部３８は、終端回路６１を使用する終端回路として決定する。
【００９４】
このように、通信装置１では、終端回路６１〜６６を順次選択することにより終端インピーダンスを順次変化させ、インピーダンスが整合しているか否かを判定するようにしたので、電話回線７の回線インピーダンスに適した終端インピーダンスを決定することができるため、通信品質を高めることができる。
【００９５】
また、通信装置１では、トーン信号ＳＴ１の周波数を順次変化させるようにしたので、広い周波数範囲においてインピーダンスが整合しているか否かを判定することができるため、判定精度を高めることができ、その結果、通信品質を高めることができる。
【００９６】
また、通信装置１では、このように電話回線７の回線インピーダンスに適した終端インピーダンスを決定することができるため、通信装置１を製造し出荷する際や、ユーザが使用する際に、終端インピーダンスを予め設定しておく必要がないので、誤った設定を行うおそれを低減することができ、利便性を高めることができる。
【００９７】
また、通信装置１では、トーン信号の反射量に基づいて、インピーダンスが整合しているか否かを判定するようにしたので、シンプルな構成を実現することができる。すなわち、例えば、交換機８から送信されたトーン信号の伝達量に基づいてインピーダンスが整合しているか否かを判定するように構成した場合には、例えば、交換機８は、周波数を順次変化させてトーン信号を送信する機能を有する必要がある。一方、本実施の形態に係る通信装置１では、自らが送信したトーン信号ＳＴ１の反射量に基づいて、インピーダンスが整合しているか否かを判定するようにしたので、交換機８は、特別な機能を有する必要はないため、シンプルな構成を実現することができる。
【００９８】
［効果］
以上のように本実施の形態では、終端インピーダンスを順次変化させ、インピーダンスが整合しているか否かを判定するようにしたので、通信品質を高めることができる。
【００９９】
本実施の形態では、トーン信号の周波数を順次変化させ、インピーダンスが整合しているか否かを判定するようにしたので、通信品質を高めることができる。
【０１００】
本実施の形態では、トーン信号の反射量に基づいて、インピーダンスが整合しているか否かを判定するようにしたので、シンプルな構成を実現することができる。
【０１０１】
［変形例１−１］
上記実施の形態では、図８のステップＳ１４に示したように、終端回路６１〜６６のうちのどの終端回路を選択した場合でも、インピーダンスが整合していない場合には、終端回路６１を使用する終端回路として決定したが、これに限定されるものではなく、これに代えて、例えば、終端回路６１以外の終端回路を使用する終端回路として決定してもよい。
【０１０２】
＜２．第２の実施の形態＞
次に、第２の実施の形態に係る通信装置２について説明する。本実施の形態は、終端インピーダンスの決定動作に先立ち、交換機８に対してダイヤルトーン信号の送信を停止させるものである。なお、上記第１の実施の形態に係る通信装置１と実質的に同一の構成部分には同一の符号を付し、適宜説明を省略する。
【０１０３】
通信装置２は、図１に示したように、回線制御部７０を備えている。回線制御部７０は、図２に示したように、通信制御部８０を有している。通信制御部８０は、マッチング制御部９０を有している。マッチング制御部９０は、上記実施の形態に係るマッチング制御部３０と同様に、通信装置２の終端インピーダンスと電話回線７の回線インピーダンスとのインピーダンス差が小さくなるように、終端インピーダンスを決定するものである。また、マッチング制御部９０は、終端インピーダンスの決定動作に先立ち、交換機８に対してダイヤルトーン信号の送信を停止させる機能をも有している。
【０１０４】
図１３は、マッチング制御部９０の一構成例を表すものである。マッチング制御部９０は、ダイヤルトーン検出指示部９１と、検出周波数設定部９２と、ダイヤルトーン判定部９３と、発呼部９４とを有している。
【０１０５】
ダイヤルトーン検出指示部９１は、検出周波数設定部９２に対して、交換機８が送信するダイヤルトーン信号を検出するための周波数範囲の設定を指示するものである。この例では、ダイヤルトーン信号の周波数は、例えば４００［Ｈｚ］である。
【０１０６】
検出周波数設定部９２は、第１の実施の形態に係る検出周波数設定部３２と同様に、モデム部４０のトーン検出部４４における、検出対象となる周波数範囲を設定するものである。また、検出周波数設定部９２は、ダイヤルトーン検出指示部９１からの指示に基づいて、検出対象となる周波数範囲を、ダイヤルトーン信号の周波数を基準として例えば±１０［Ｈｚ］の周波数範囲に設定する機能をも有している。
【０１０７】
ダイヤルトーン判定部９３は、モデム部４０のコンパレータ４６における比較結果に基づいて、電話回線７におけるダイヤルトーン信号の有無を判定するものである。なお、交換機８は、ダイヤルトーン信号を送信する際、ダイヤルトーン信号を断続的に送信する場合がある。このダイヤルトーン判定部９３は、このような断続的なダイヤルトーン信号をも判定することができるようになっている。そして、ダイヤルトーン判定部９３は、その判定結果を、発呼部９４に通知するようになっている。
【０１０８】
発呼部９４は、ダイヤルトーン判定部９３での判定結果に基づいて、モデム部４０および回線インタフェース部５０を介して、ダイヤルパルス信号またはＤＴＭＦ（Dual Tone Multi Frequency）信号を選択的に送信するものである。また、発呼部９４は、これらの信号の送信に先立ち、接続制御部２２と同様に、直流信号保持部５３を動作させることにより回線接続動作を行う機能をも有している。
【０１０９】
図１４は、通信装置２における、交換機８に対してダイヤルトーン信号の送信を停止させる動作の一例を表すものである。この例では、発呼部９４が、ダイヤルパルス信号またはＤＴＭＦ信号を選択的に送信することにより、交換機８に対してダイヤルトーン信号の送信を停止させる。以下に、この動作について詳細に説明する。
【０１１０】
まず、ダイヤルトーン検出指示部９１が、検出周波数設定部９２に対して、ダイヤルトーン信号の検出を指示する（ステップＳ２１）。
【０１１１】
次に、検出周波数設定部９２が、検出対象となる周波数範囲を設定するとともに、しきい値設定部３４がしきい値レベルＬｔｈを設定する（ステップＳ２２）。この例では、検出周波数設定部９２は、検出対象となる周波数範囲を、ダイヤルトーン信号の周波数（例えば４００［Ｈｚ］）を基準として例えば±１０［Ｈｚ］の周波数範囲に設定する。また、しきい値設定部３４は、しきい値レベルＬｔｈを、例えば−３０［ｄＢｍ］に設定する。
【０１１２】
次に、発呼部９４が、直流信号保持部５３の動作を開始させる（ステップＳ２３）。これにより、通信装置２は、電話回線７に電気的に接続される。その後、交換機８は、通信装置２に対してダイヤルトーン信号を送信する。
【０１１３】
次に、トーン検出部４４が、ダイヤルトーン信号を検出する（ステップＳ２４）。そして、トーン検出部４４は、そのダイヤルトーン信号の振幅レベルに応じた信号Ｓig44を生成する。コンパレータ４６は、しきい値レベルＬｔｈと、トーン検出部４４から出力された信号Ｓig44とを比較する。ダイヤルトーン信号の振幅レベルはしきい値レベルＬｔｈよりも大きいため、コンパレータ４６は、低レベル（Ｌ）を出力する。
【０１１４】
次に、ダイヤルトーン判定部９３が、コンパレータ４６から供給された比較結果に基づいて、電話回線７においてダイヤルトーン信号が有ると判定する（ステップＳ２５）。
【０１１５】
次に、発呼部９４が、ダイヤルパルス信号を送信する（ステップＳ２６）。そして、交換機８は、このダイヤルパルス信号を受信する。交換機８が、ダイヤルパルス信号に基づいて、ダイヤルトーン信号の送信を停止する機能を有している場合には、ステップＳ２６において発呼部９４が送信したダイヤルパルス信号に基づいて、ダイヤルトーン信号の送信を停止する。また、交換機８が、ＤＴＭＦ信号に基づいてダイヤルトーン信号の送信を停止する機能を有している場合には、ダイヤルトーン信号をそのまま送信し続ける。
【０１１６】
次に、ダイヤルトーン判定部９３が、コンパレータ４６から供給された比較結果に基づいて、電話回線７におけるダイヤルトーン信号の有無を判定する（ステップＳ２７）。ダイヤルトーン信号が無い場合には（ステップＳ２８において“Ｎ”）、ステップＳ３０に進む。
【０１１７】
また、ステップＳ２７において、ダイヤルトーン判定部９３が、ダイヤルトーン信号が有ると判定した場合には（ステップＳ２８において“Ｙ”）、発呼部９４が、ＤＴＭＦ信号を送信する（ステップＳ２９）。そして、交換機８は、このＤＴＭＦ信号を受信する。交換機８が、ＤＴＭＦ信号に基づいてダイヤルトーン信号の送信を停止する機能を有している場合には、ステップＳ２９において発呼部９４が送信したＤＴＭＦ信号に基づいて、ダイヤルトーン信号の送信を停止する。
【０１１８】
次に、ダイヤルトーン判定部９３が、コンパレータ４６から供給された比較結果に基づいて、電話回線７におけるダイヤルトーン信号が無いと判定する（ステップＳ３０）。
【０１１９】
以上で、このフローは終了する。
【０１２０】
その後、通信装置２は、上記第１の実施の形態の場合（図８）と同様に、終端インピーダンスを決定する。その際、ステップＳ１０において、周波数設定部３１は、最低周波数ｆminから最高周波数ｆmaxまでの周波数範囲において、トーン信号ＳＴ１の周波数を一段階高い周波数に設定する。すなわち、本実施の形態では、終端インピーダンスの決定に先立ち、ダイヤルトーン信号の送信を停止させているので、最低周波数ｆminから最高周波数ｆmaxまでの周波数範囲の全範囲を利用することができる。これにより、通信装置２では、インピーダンスが整合しているか否かを判定する際の精度を高めることができる。
【０１２１】
以上のように本実施の形態では、終端インピーダンスの決定に先立ち、ダイヤルトーン信号の送信を停止させるようにしたので、インピーダンスが整合しているか否かを判定する際の精度を高めることができ、その結果、通信品質を高めることができる。
【０１２２】
以上、いくつかの実施の形態および変形例を挙げて本発明を説明したが、本発明はこれらの実施の形態等には限定されず、種々の変形が可能である。
【０１２３】
例えば、上記の各実施の形態では、通信装置１が電話回線７に電気的に接続される度に終端インピーダンスの設定を行うようにしたが、これに限定されるものではなく、決定した終端インピーダンスを、その後に通信装置１が電話回線網９に電気的に接続されたときにも使用するようにしてもよい。
【０１２４】
また、例えば、上記の各実施の形態では、終端部６０およびインタフェース５１を、いわゆるシリコンＤＡＡ（Data Access Arrangement）により構成したが、これに限定されるものではない。例えば、終端部６０を、複数のトランスを用いて構成し、その複数のトランスのいずれか１つを選択することにより終端インピーダンスを設定するようにしてもよい。
【０１２５】
また、例えば、上記の各実施の形態では、本発明を、コピー機、ファクシミリ、スキャナなどの機能を有する、いわゆる多機能周辺装置に適用したが、これに限定されるものではない。これに代えて、例えば、ファクシミリ、電話機、モデムなどの装置に適用してもよい。また、本発明が適用された、多機能周辺装置、ファクシミリ、電話機、モデムなどのうちの少なくとも１つを、他の電子機器にＬＡＮ（Local Area Network）等のネットワークを介して接続することによりネットワークシステムを構成してもよい。
【符号の説明】
【０１２６】
１，２…通信装置、６…電話機、７…電話回線、８…交換機、９…電話回線網、１０…回線制御部、１１…スキャナ部、１２…印刷部、１９…絶縁部、２０…通信制御部、２１…インタフェース、２２…接続制御部、３０…マッチング制御部、３１…周波数設定部、３２…検出周波数設定部、３３…振幅レベル設定部、３４…しきい値設定部、３５…送信指示部、３６…マッチング判定部、３７…インピーダンス切替指示部、３８…インピーダンス決定部、４０…モデム部、４１…インタフェース、４２…インタフェース、４３…トーン生成部、４４…トーン検出部、４５…しきい値生成部、４６…コンパレータ、４７…フィルタ部、４８…絶対値算出部、４９…平均化部、５０…回線インタフェース部、５１…インタフェース、５３…直流信号保持部、５３Ａ，５３Ｂ…端子、５４…ダイオードブリッジ、５４Ａ〜５４Ｄ…ダイオード、５５…リング検出部、５６…リレー部、５６Ａ，５６Ｂ…リレー、５７…リレー制御部、６０…終端部、６１〜６６…終端回路、６９…スイッチ、７０…回線制御部、８０…通信制御部、９０…マッチング制御部、９１…ダイヤルトーン検出指示部、９２…検出周波数設定部、９３…ダイヤルトーン判定部、９４…発呼部、Ｃ１…容量素子、ｆmax…最高周波数、ｆmin…最低周波数、Ｌｔｈ…しきい値レベル、Ｒ１〜Ｒ３…抵抗素子、Ｓig44，Ｓig47，Ｓig48…信号、ＳＴ１，ＳＴ２…トーン信号、Ｔ１，Ｔ２…コネクタ，Ｔ１Ａ，Ｔ１Ｂ，Ｔ２Ａ，Ｔ２Ｂ…端子。
【図１】
2017046128.tif 000003
【図２】
2017046128.tif 000004
【図３】
2017046128.tif 000005
【図４】
2017046128.tif 000006
【図５】
2017046128.tif 000007
【図６】
2017046128.tif 000008
【図７】
2017046128.tif 000009
【図８】
2017046128.tif 000010
【図９】
2017046128.tif 000011
【図１０】
2017046128.tif 000012
【図１１】
2017046128.tif 000013
【図１２】
2017046128.tif 000014
【図１３】
2017046128.tif 000015
【図１４】
2017046128.tif 000016